(57)【要約】  外部装置に対して信号の入出力を行う電子装置であり、周波数が設定されてその設定された周波数のクロック信号を発するクロック部と、クロック部が発したクロック信号に従って信号の入出力を行う入出力部と、外部装置が発している信号の周波数を検知する周波数検知部と、周波数検知部で検知された周波数に基づいてクロック信号の周波数を決めてクロック部に設定する周波数設定部とを備えた。外部装置が発している信号の周波数に基づいてクロック信号の周波数が自動的に設定されるため、メンテナンスの手間やコストを軽減することができる。
2008111229.tif 000002
【特許請求の範囲】
【請求項１】
外部装置が接続されて該外部装置に対して信号の入出力を行う電子装置において、
周波数が設定されてその設定された周波数のクロック信号を発するクロック部と、
前記クロック部が発したクロック信号に従って前記信号の入出力を行う入出力部と、
前記外部装置が発している信号の周波数を検知する周波数検知部と、
前記周波数検知部で検知された周波数に基づいて前記クロック信号の周波数を決めて前記クロック部に設定する周波数設定部とを備えたことを特徴とする電子装置。
【請求項２】
前記周波数検知部が、所定の基準周波数が設定されて前記クロック部が発する基準クロック信号を受け、その基準クロック信号に従って動作するものであることを特徴とする請求項１記載の電子装置。
【請求項３】
前記周波数設定部が、各所定の複数の周波数のなかから、前記周波数検知部で検知された周波数に対し整数倍あるいは整数分の１となっている対応周波数を見つけ、その対応周波数を前記クロック信号の周波数に決めて前記クロック部に設定するものであることを特徴とする請求項１記載の電子装置。
【請求項４】
通信回線を介して周波数が通知される周波数通知部を備え、
前記周波数設定部が、各所定の複数の周波数のなかから、前記周波数検知部で検知された周波数に対し整数倍あるいは整数分の１となっている対応周波数を探し、その対応周波数を見つけた場合には、その対応周波数を前記クロック信号の周波数に決めて前記クロック部に設定し、その対応周波数が見つからない場合には、前記周波数通知部で通知された周波数を前記クロック部に設定するものであることを特徴とする請求項１記載の電子装置。
【請求項５】
前記クロック部が、複数の周波数を記憶した記憶部と、該記憶部に記憶された周波数のうちの１つの周波数が指定される指定部と、該指定部で指定された周波数のクロック信号を発する発振部とを備えたものであることを特徴とする請求項１記載の電子装置。
【請求項６】
前記クロック部が、複数の周波数を記憶した、それら複数の周波数の他に１つ以上の周波数を書き換え自在に記憶する記憶部と、該記憶部に記憶された周波数のうちの１つの周波数が指定される指定部と、該指定部で指定された周波数のクロック信号を発する発振部とを備えたものであり、
通信回線を介して周波数が通知され、その通知された周波数を前記記憶部に記憶させる周波数通知記憶部を備えたことを特徴とする請求項１記載の電子装置。
【請求項７】
前記クロック部が発するクロック信号に従って前記入出力部が行う前記信号の入出力の良不良を評価することで、該クロック部に設定された周波数の適不適を判定する判定部を備えたことを特徴とする請求項１記載の電子装置。
【請求項８】
前記クロック部が発するクロック信号に従って前記入出力部が行う前記信号の入出力の良不良を、前記周波数設定部によって前記対応周波数が該クロック部に設定される度に評価して、該クロック部に設定された周波数の適不適を判定する判定部を備え、
前記周波数設定部が、各所定の複数の周波数のなかから、前記周波数検知部で検知された周波数に対し整数倍あるいは整数分の１となっている対応周波数を見つけ、その対応周波数を前記クロック信号の周波数に決めて前記クロック部に設定する、該対応周波数を複数見つけた場合には、その複数の対応周波数を所定の優先順位で１つずつ順次に前記クロック部に設定するとともに、前記判定部において該周波数が適当であると判定された対応周波数を該クロック信号の周波数に決めるものであることを特徴とする請求項１記載の電子装置。
【請求項９】
外部装置が接続されて該外部装置に対して信号の入出力を行う電子装置に対してクロック信号を供給するクロック装置において、
周波数が設定されてその設定された周波数のクロック信号を発するクロック部と、
前記外部装置が発している信号の周波数を検知する周波数検知部と、
前記周波数検知部で検知された周波数に基づいて前記クロック信号の周波数を決めて前記クロック部に設定する周波数設定部とを備えたことを特徴とするクロック装置。
【請求項１０】
外部装置が接続されて該外部装置に対して信号の入出力を行う電子装置に供給されるクロック信号を制御するクロック制御装置において、
前記外部装置が発している信号の周波数を検知する周波数検知部と、
前記周波数検知部で検知された周波数に基づいて前記クロック信号の周波数を決め、その決めた周波数を、設定された周波数のクロック信号を前記電子装置に供給するクロックに設定する周波数設定部とを備えたことを特徴とするクロック制御装置。
【発明の詳細な説明】
【技術分野】
【０００１】
本発明は、外部装置に対して信号の入出力を行う電子装置、電子装置にクロック信号を供給するクロック装置、および電子装置に供給されるクロック信号を制御するクロック制御装置に関する。
【背景技術】
【０００２】
携帯電話機やパーソナルコンピュータなどといった電子装置は、各種集積回路、抵抗器、コンデンサ等といった多くの電子部品が組み合わされて構成されている。これらの電子装置には、それぞれの仕様に合ったクロック周波数の発振器が搭載されており、内蔵されている複数の電子部品それぞれがクロック信号に従って駆動することによって、仕様通りの動作特性が実現される。【０００３】
また、外部装置との間で通信を行う通信装置では、使用される国や接続される外部装置の種類等によってデータの搬送周波数が異なるため、同じ機種の通信装置であっても、顧客先のネットワーク状況によって好適なクロック周波数が異なる場合がある。このため、１つの機種の通信装置ごとに、クロック周波数が相互に異なる複数の発振器それぞれが搭載された複数バージョンを用意しておいたり、１つの通信装置にクロック周波数が相互に異なる複数の発振器を搭載しておき、顧客先でネットワーク状況に適したクロック周波数の発振器のみを有効に設定することが行われており、無駄にコストがかかってしまうという問題がある。【０００４】
この点に関し、近年では、発振周波数をユーザが設定可能なプログラマブル発振器が用いられてきており（例えば、特許文献１、特許文献２、特許文献３、および特許文献４参照）、このプログラマブル発振器を通信装置に搭載することが考えられる。プログラマブル発振器を通信装置に搭載しておき、顧客先のネットワーク状況に合ったクロック周波数を設定することによって、複数バージョンの通信装置を用意したり、１つの通信装置内に複数の発振器を搭載しておく手間を省くことができ、製造コストを軽減することができる。
【特許文献１】特開２００５−２７６１７９号公報
【特許文献２】特開２００１−３２０２７５号公報
【特許文献３】特開平１１−５５１１８号公報
【特許文献４】特開２０００−３４１１１９号公報
【０００５】
しかし、上述した通信装置を顧客先に納品する際には、通信装置メーカのエンジニアが顧客先に出向き、ネットワーク状況などを考慮してクロック周波数を決定して、プログラマブル発振器のクロック周波数を設定する必要があるうえ、その通信装置の使用環境が変わるたびに、エンジニアによるクロック周波数の決定および再設定を行う必要があり、メンテナンスの手間がかかってしまうという問題がある。【０００６】
また、このような問題は、通信装置のみに限られた問題ではなく、外部装置との間で信号の入出力を行う電子装置の分野一般で生じる問題である。【０００７】
本発明は、上記事情に鑑み、クロック周波数を容易に設定することができる電子装置、クロック装置、およびクロック制御装置を提供することを目的とする。
【発明の開示】
【０００８】
上記目的を達成する本発明の電子装置は、外部装置が接続されて外部装置に対して信号の入出力を行う電子装置において、
周波数が設定されてその設定された周波数のクロック信号を発するクロック部と、
クロック部が発したクロック信号に従って信号の入出力を行う入出力部と、
外部装置が発している信号の周波数を検知する周波数検知部と、
周波数検知部で検知された周波数に基づいてクロック信号の周波数を決めてクロック部に設定する周波数設定部とを備えたことを特徴とする。
【０００９】
本発明の電子装置によると、外部装置が発している信号の周波数が検知され、その検知された周波数に基づいてクロック信号の周波数が自動的に決定されて、クロック部に設定される。このため、電子装置を納品する際に、エンジニアが顧客先に出向いてクロック信号の周波数を設定する手間や、電子装置を使用する国や接続される外部装置が変更されたときに再度クロック信号を手動で調整する手間を省くことができ、メンテナンスの手間やコストを軽減することができる。
【００１０】
また、本発明の電子装置において、上記周波数検知部が、所定の基準周波数が設定されてクロック部が発する基準クロック信号を受け、その基準クロック信号に従って動作するものであることが好ましい。
【００１１】
クロック信号の周波数が決定される前に、基準クロック信号が発せられることによって、周波数検知部を確実に駆動することができる。
【００１２】
また、本発明の電子装置において、上記周波数設定部が、各所定の複数の周波数のなかから、周波数検知部で検知された周波数に対し整数倍あるいは整数分の１となっている対応周波数を見つけ、その対応周波数をクロック信号の周波数に決めてクロック部に設定するものであることが好適である。
【００１３】
この好適な電子装置によると、外部装置との間で入出力される信号の周波数の整数倍あるいは整数分の１となる対応周波数がクロック信号の周波数に決定されるため、外部装置との間で通信エラーが軽減された信頼性の高い通信を行うことができる。
【００１４】
また、本発明の電子装置において、
「通信回線を介して周波数が通知される周波数通知部を備え、
上記周波数設定部が、各所定の複数の周波数のなかから、周波数検知部で検知された周波数に対し整数倍あるいは整数分の１となっている対応周波数を探し、その対応周波数を見つけた場合には、その対応周波数をクロック信号の周波数に決めてクロック部に設定し、その対応周波数が見つからない場合には、周波数通知部で通知された周波数をクロック部に設定するものである」
という形態は好ましい。
【００１５】
まずは、周波数検知部で検知された周波数に基づいて対応周波数を探し、対応周波数が見つからない場合に、通信回線を介して通知された周波数をクロック信号の周波数として決定することによって、効率よくクロック信号の周波数を設定することができる。
【００１６】
また、本発明の電子装置において、上記クロック部が、複数の周波数を記憶した記憶部と、記憶部に記憶された周波数のうちの１つの周波数が指定される指定部と、指定部で指定された周波数のクロック信号を発する発振部とを備えたものであることが好適である。
【００１７】
通信装置等のクロック周波数は、信号の搬送周波数に関連する典型的ないくつかの周波数に限られていることが一般的である。このような典型的な周波数の候補を予め記憶しておくことによって、適切な周波数でクロック信号を発振することができる。
【００１８】
また、本発明の電子装置において、上記クロック部が、複数の周波数を記憶した、それら複数の周波数の他に１つ以上の周波数を書き換え自在に記憶する記憶部と、記憶部に記憶された周波数のうちの１つの周波数が指定される指定部と、指定部で指定された周波数のクロック信号を発する発振部とを備えたものであり、
通信回線を介して周波数が通知され、その通知された周波数を記憶部に記憶させる周波数通知記憶部を備えたことが好ましい。
【００１９】
通信回線を介して通知された周波数がクロック部の記憶部に記憶されることによって、発振部から発せられるクロック信号の周波数を遠隔操作することができる。
【００２０】
また、本発明の電子装置において、上記クロック部が発するクロック信号に従って入出力部が行う信号の入出力の良不良を評価することで、クロック部に設定された周波数の適不適を判定する判定部を備えたことが好ましい。
【００２１】
クロック部に設定された周波数の適不適を判定し、適当であると判定された周波数をクロック信号の周波数として適用することによって、通信エラーなどといった不具合の発生率を抑え、外部装置との間で精度良く信号を入出力することができる。
【００２２】
また、本発明の電子装置において、上記クロック部が発するクロック信号に従って入出力部が行う信号の入出力の良不良を、周波数設定部によって対応周波数がクロック部に設定される度に評価して、クロック部に設定された周波数の適不適を判定する判定部を備え、
上記周波数設定部が、各所定の複数の周波数のなかから、周波数検知部で検知された周波数に対し整数倍あるいは整数分の１となっている対応周波数を見つけ、その対応周波数を前記クロック信号の周波数に決めてクロック部に設定する、対応周波数を複数見つけた場合には、その複数の対応周波数を所定の優先順位で１つずつ順次にクロック部に設定するとともに、判定部において周波数が適当であると判定された対応周波数をクロック信号の周波数に決めるものであることが好ましい。
【００２３】
対応周波数が複数見つかった場合には、それらを優先順位に従って１つずつ順次にクロック部に設定し、対応周波数が適当であると判定された時点で、その対応周波数をクロック信号の周波数に決めることによって、クロック信号の周波数を設定するまでの処理速度を向上させることができる。
【００２４】
また、上記目的を達成する本発明のクロック装置は、外部装置が接続されて外部装置に対して信号の入出力を行う電子装置に対してクロック信号を供給するクロック装置において、
周波数が設定されてその設定された周波数のクロック信号を発するクロック部と、
外部装置が発している信号の周波数を検知する周波数検知部と、
周波数検知部で検知された周波数に基づいてクロック信号の周波数を決めてクロック部に設定する周波数設定部とを備えたことを特徴とする。
【００２５】
本発明のクロック装置によると、外部装置が発している信号の周波数が検知され、その検知された周波数に基づいて自動的にクロック信号の周波数が決定される。
【００２６】
ここで、クロック装置については、ここではその基本形態のみを示すのにとどめるが、これは単に重複を避けるためであり、本発明のクロック装置には、上記の基本形態のみではなく、前述した電子装置の各形態に対応する各種の形態が含まれる。
【００２７】
また、上記目的を達成する本発明のクロック制御装置は、外部装置が接続されて外部装置に対して信号の入出力を行う電子装置に供給されるクロック信号を制御するクロック制御装置において、
外部装置が発している信号の周波数を検知する周波数検知部と、
周波数検知部で検知された周波数に基づいてクロック信号の周波数を決め、その決めた周波数を、設定された周波数のクロック信号を電子装置に供給するクロックに設定する周波数設定部とを備えたことを特徴とする。
【００２８】
本発明のクロック制御装置によると、外部装置が発している信号の周波数に基づいて、クロックから発せられるクロック信号を周波数を自動的に設定することができる。
【００２９】
ここで、クロック制御装置についても、ここではその基本形態のみを示すのにとどめるが、これは単に重複を避けるためであり、本発明のクロック制御装置には、上記の基本形態のみではなく、前述した電子装置の各形態に対応する各種の形態が含まれる。
【００３０】
以上のように、本発明によれば、クロック周波数を容易に設定することができる電子装置、クロック装置、およびクロック制御装置を提供することができる。
【図面の簡単な説明】
【００３１】
【図１】本発明の一実施形態が適用された通信システムの概略構成図である。
【図２】ＷＤＭ装置の機能ブロック図である。
【図３】周波数制御装置の機能ブロック図である。
【図４】本発明の第１実施形態においてクロック周波数が決定されるまでの一連の処理の流れを示すフローチャート図である。
【図５】本発明の第２実施形態においてクロック周波数が決定されるまでの一連の処理の流れを示すフローチャート図である。
【発明を実施するための最良の形態】
【００３２】
以下、図面を参照して本発明の実施の形態を説明する。【００３３】
図１は、本発明の一実施形態が適用された通信システムの概略構成図である。【００３４】
図１に示す通信システム１は、光ファイバ回線４００で接続された２つのＷＤＭ（波長分割多重）装置１００＿１，１００＿２と、図１の左側のＷＤＭ装置１００＿１にクライアント回線３００＿１を介して接続された複数の端末装置２０１＿１，２０２＿１，２０３＿１，２０４＿１と、図１の右側のＷＤＭ装置１００＿２にクライアント回線３００＿２を介して接続された複数の端末装置２０１＿２，２０２＿２，２０３＿２，２０４＿２とで構成されている。尚、実際には、多数の端末装置がＷＤＭ装置と接続されており、さらに、多数のＷＤＭ装置、他の通信装置、およびインターネット回線などが相互に接続されているが、図１では、図の簡略化のために、本発明の説明に必要なもののみが示されている。【００３５】
ＷＤＭ装置１００＿１，１００＿２は、「波長が異なる光は互いに干渉しない」という性質を利用し、各端末装置２０１＿１，２０２＿１，２０３＿１，２０４＿１,２０１＿２，２０２＿２，２０３＿２，２０４＿２それぞれに対して送受信される複数の信号を相互に異なる波長の光信号に変えて、それら複数の光信号を多重化して１本の光ファイバ回線４００に乗せて通信するものである。２つのＷＤＭ装置１００＿１，１００＿２それぞれが、本発明の電子装置の各一実施形態に相当する。また、各端末装置２０１＿１，２０２＿１，２０３＿１，２０４＿１,２０１＿２，２０２＿２，２０３＿２，２０４＿２は、本発明にいう外部装置の各一例に相当する。【００３６】
また、クライアント回線３００＿１,３００＿２は、ＷＤＭ装置１００＿１，１００＿２と各端末装置２０１＿１，２０２＿１，２０３＿１，２０４＿１,２０１＿２，２０２＿２，２０３＿２，２０４＿２それぞれとを接続するものであり、光ファイバ回線や同軸ケーブル回線などといった有線回線の他、無線回線なども適用される。光ファイバ回線４００およびクライアント回線３００＿１，３００＿２は、本発明にいう通信回線の一例に相当する。【００３７】
ここで、２つのＷＤＭ装置１００＿１，１００＿２は、基本的には同じ構成を有しているため、以下では、それらを代表して左側のＷＤＭ装置１００＿１に注目して説明する。【００３８】
図２は、ＷＤＭ装置１００＿１の機能ブロック図である。【００３９】
ＷＤＭ装置１００＿１には、上述した端末装置との間でクライアント回線３００＿１を介した通信を行う光インタフェース部１１０と、他のＷＤＭ装置との間で光ファイバ回線４００を介した通信を行う光波長多重分離部１２０と、クロック信号を発振する発振装置１３０が備えられている。【００４０】
光インタフェース部１１０は、このＷＤＭ装置１００＿１に接続されている複数の端末装置それぞれに対応する複数の通信ユニット１１０＿１，１１０＿２,…で構成されており、各通信ユニット１１０＿１，１１０＿２,…には、各端末装置との間でクライアント回線３００＿１を介して通信を行う外部通信部１１１＿１，１１１＿２,…、光波長多重分離部１２０との間で光通信を行う内部通信部１１３＿１，１１３＿２,…、外部通信部１１１＿１，１１１＿２,…および内部通信部１１３＿１，１１３＿２,…から伝達されてきた信号に各種信号処理を施す信号処理部１１２＿１，１１２＿２,…が備えられている。【００４１】
また、光波長多重分離部１２０には、波長が異なる複数の光信号を多重化する光多重部１２１と、光多重部１２１で多重化された光信号を光ファイバ回線４００を介して他のＷＤＭ装置に送信する送信部１２２と、光ファイバ回線４００を介して送信されてきた光信号を受信する受信部１２４と、多重化された光信号を波長ごとに分離する光分離部１２３が備えられている。外部通信部１１１＿１，１１１＿２,…、送信部１２２、および受信部１２４のそれぞれは、本発明にいう入出力部の各一例に相当する。【００４２】
通信が行われる前に、まず、発振装置１３０内でクロック周波数が設定され、設定されたクロック周波数のクロック信号が発振される。ＷＤＭ装置１００＿１内の各種部品は、クロック信号に従って動作することによって、信号の入出力タイミングが合わせられる。クロック周波数の設定については、後で詳しく説明する。【００４３】
端末装置２０１＿１，２０２＿１，…から外部装置にデータを送信する際には、端末装置２０１＿１，２０２＿１，…から送信されてきた信号がクライアント回線３００＿１を介して各端末装置２０１＿１，２０２＿１,…それぞれに対応する外部通信部１１１＿１，１１１＿２,…に入力される。ここで、例えば、端末装置のクライアント回線３００＿１が光ファイバ回線である場合には、端末装置から外部通信部に入力される信号は光信号であり、端末装置のクライアント回線３００＿１が無線回線や同軸ケーブル回線などである場合には、端末装置から外部通信部に入力される信号は電気信号である。外部通信部１１１＿１，１１１＿２,…に入力された信号は、信号処理部１１２＿１,１１２＿２,…に伝達される。【００４４】
信号処理部１１２＿１,１１２＿２,…では、外部通信部１１１＿１,１１１＿２,…から伝達された信号が、各端末装置２０１＿１，２０１＿２,…に割り当てられた波長λ１,λ２,…の光信号に変換されるとともに、変換された光信号にヘッダやエラービットが付加される（デジタルラッパー処理）。デジタルラッパー処理が施された光信号は、内部通信部１１３＿１,１１３＿２,…によって光多重部１２１に伝達される。【００４５】
光多重部１２１には、各通信ユニット１１０＿１,１１０＿２,…から、相互に波長λ１,λ２,…が異なる複数の光信号が伝達される。光多重部１２１では、伝達されてきた複数の光信号が多重化されて、多重化光信号が送信部１２２に伝達される。【００４６】
送信部１２２では、多重化光信号が増幅され、増幅後の多重化光信号が光ファイバ回線４００を介して他のＷＤＭ装置に送信される。多重化光信号は、ＷＤＭ装置において各波長ごとに分離されて、各外部装置に伝達される。【００４７】
以上のようにして、外部装置に向けて信号が送信される。【００４８】
また、外部装置から送信されてきた信号は、他のＷＤＭ装置によって相互に波長が異なる光信号に変換された後で多重化されて、多重化光信号がＷＤＭ装置１００＿１に向けて送信される。【００４９】
ＷＤＭ装置１００＿１に向けて送られてきた多重化光信号は、図２に示す受信部１２４で受信され、光分離部１２３に伝達される。【００５０】
光分離部１２３では、多重化光信号が増幅された後で各波長λ１,λ２,…ごとに分離されて、分離された各光信号が各通信ユニット１１０＿１,１１０＿２,…に向けて送信される。【００５１】
各通信ユニット１１０＿１,１１０＿２,…に送信されてきた光信号は、内部通信部１１３＿１，１１３＿２,…で受信され、信号処理部１１２＿１，１１２＿２,…に伝達される。信号処理部１１２＿１，１１２＿２,…では、光信号が各クライアント回線３００＿１に適した形態の信号に変換され、エラー訂正などといった各種信号処理が施された後で外部通信部１１１＿１，１１１＿２,…に伝達される。【００５２】
外部通信部１１１＿１，１１１＿２,…では、伝達された信号がクライアント回線３００＿１を介して各端末装置２０１＿１，２０２＿１，…に向けて送信される。【００５３】
以上のようにして、図１の左側に示す各端末装置２０１＿１，２０２＿１，…において信号が受信される。【００５４】
ここで、図２に示すＷＤＭ装置１００＿１の各種部品では、発振装置１３０から発せられるクロック信号に従って処理が実行される。以下では、発振装置１３０について詳しく説明する。【００５５】
図３は、発振装置１３０の機能ブロック図である。【００５６】
尚、図３では、図１に示す複数の端末装置を代表して、右上の端末装置２０１＿１と左上の端末装置２０１＿２のみが示されている。【００５７】
発振装置１３０には、図２に示すＷＤＭ装置１００＿１全体のクロック周波数を制御する周波数制御部１３１と、端末装置２０１＿１，２０１＿２との間で送受信される信号の搬送周波数を検知する周波数カウンタ１３２と、ＷＤＭ装置１００＿１のクロック周波数を決定する周波数決定部１３３と、周波数決定部１３３で決定されたクロック周波数でクロック信号を発振する発振部１３４が備えられており、発振部１３４には、さらに、複数の周波数が記憶されるとともに、それら複数の周波数のうちの１つの周波数が指定される記憶部１３４１と、所定の周波数で発振する発振回路１３４２と、発振回路１３４２から発振された発振信号の周波数を調整するＰＬＬ／バッファ１３４３が備えられている。周波数制御部１３１は、本発明にいう周波数通知部の一例にあたるとともに、本発明にいう判定部の一例にも相当し、周波数カウンタ１３２は、本発明にいう周波数検知部の一例にあたり、周波数決定部１３３は、本発明にいう周波数設定部の一例に相当する。【００５８】
また、記憶部１３４１には、予め複数の周波数が記憶されており、さらに、ユーザによって何度も書き換え可能な再利用領域が用意されている。周波数決定部１３３から周波数が指定されると、その指定された周波数がＰＬＬ／バッファ１３４３に伝達されて、クロック周波数として設定される。記憶部１３４１は、本発明にいう記憶部の一例にあたるとともに、本発明にいう指定部の一例にも相当する。また、発振回路１３４２とＰＬＬ／バッファ１３４３とを合わせたものは、本発明にいう発振部の一例に相当する。【００５９】
図４は、クロック周波数が決定されるまでの一連の処理の流れを示すフローチャート図である。【００６０】
記憶部１３４１には、初期状態おいてカウンタとして利用される基準信号の基本周波数Ｆｓが予め記憶されている。クロック周波数を決定するのにあたり、周波数制御部１３１は、まず、ＷＤＭ装置１００＿１全体に、基本周波数Ｆｓの基準信号に従って動作を行う指示を伝える。【００６１】
テスト通信の実行指示が伝えられると、周波数決定部１３３では、記憶部１３４１から基本周波数Ｆｓが取り出されるとともに、記憶部１３４１に対してクロック周波数として基本周波数Ｆｓが指定される。【００６２】
記憶部１３４１において指定された基本周波数Ｆｓは、ＰＬＬ／バッファ１３４３に伝達され、クロック周波数として設定される。ＰＬＬ／バッファ１３４３では、発振回路１３４２から発振された信号の周波数が基本周波数Ｆｓに調整され、処理を行うカウンタとなる基準信号が発振される。図２に示すＷＤＭ装置１００＿１の各種要素では、発振された基準信号に従って処理が実行される（図４のステップＳ１１）。【００６３】
端末装置２０１＿１からクライアント回線３００＿１を介して送信されてきた信号や、端末装置２０１＿２からクライアント回線３００＿２を介してＷＤＭ装置１００＿２に送信され、さらにＷＤＭ装置１００＿２から光ファイバ回線４００を介して送信されてきた信号は、図２に示す光インタフェース部１００および光波長多重分離部１２０に加えて、図３に示す発振装置１３０の周波数制御部１３１および周波数カウンタ１３２でも受信される。周波数カウンタ１３２では、受信された信号の搬送周波数が検出される（図４のステップＳ１２）。検出された搬送周波数は、周波数決定部１３３に伝えられる。【００６４】
周波数決定部１３３では、伝えられた搬送周波数に基づいて、記憶部１３４１に記憶されている複数の周波数の中から、クロック周波数の候補となる候補周波数が決定される（図４のステップＳ１３）。本実施形態では、まず、検出された搬送周波数Ｆｈの整数倍（１×Ｆｈ、２×Ｆｈ、３×Ｆｈ、…）と、搬送周波数Ｆｈの整数分の１倍（Ｆｈ／１、Ｆｈ／２、Ｆｈ／３、…）とが算出され、記憶部１３４１に記憶されている複数の周波数のうち、算出された周波数と一致する周波数が候補周波数に決定される。このとき若干の誤差は許容される。決定された候補周波数は、１つずつ順次に仮のクロック周波数として指定される。【００６５】
候補周波数が仮のクロック周波数として指定されると、ＰＬＬ／バッファ１３４３から、指定された候補周波数のクロック信号が出力される。図２に示すＷＤＭ装置１００＿１の各種部品では、発振された仮のクロック信号に従い、端末装置２０１＿１，２０１＿２との間でテスト通信が実行される（図４のステップＳ１４）。【００６６】
周波数制御部１３１では、テスト通信における送受信エラーや、送信されてきた信号の誤りなどが検出され、仮のクロック信号が適当であるか不適であるかが判定される（図４のステップＳ１５）。送受信エラー数や信号の誤りの回数が所定回数以下である場合（図４のステップＳ１５：Ｙｅｓ）、仮のクロック信号は適当であると判定され、それら送受信エラー数および信号の誤り回数が通信品質として保存される（図４のステップＳ１６）。【００６７】
ステップＳ１４およびステップＳ１５の処理は、最終の候補周波数まで繰り返し行われる（図４のステップＳ１７）。【００６８】
最終の候補周波数までの処理が終了した時点で（図４のステップＳ１７：Ｙｅｓ）、クロック周波数として適当であると判定された候補周波数が存在する（すなわち、通信品質が保存されている）場合には（図４のステップＳ１８：Ｙｅｓ）、それらの候補周波数の中から、最も通信品質が高い候補周波数がクロック周波数として決定される（図４のステップＳ１９）。【００６９】
また、クロック周波数として適当であると判定された候補周波数が存在しない（すなわち、通信品質が保存されていない）場合には（図４のステップＳ１８：Ｎｏ）、周波数制御部１３１から端末装置２０１＿１，２０１＿２に向けて、周波数を指定する要求を表わす要求信号が送信される。【００７０】
例えば、端末装置２０１＿２のユーザがマウスなどを使って周波数を指定すると、指定された周波数を表わす返答信号がクライアント回線３００＿２を介してＷＤＭ装置１００＿２に送信され、ＷＤＭ装置１００＿２から光ファイバ回線４００を介して周波数制御部１３１に送信される。周波数制御部１３１で取得された指定周波数は、周波数決定部１３３に伝達され、記憶部１３４１の再利用領域に記憶されるとともに、周波数決定部１３３において指定周波数がクロック周波数として決定される（図４のステップＳ２０）。【００７１】
以上のようにして決定されたクロック周波数は、記憶部１３４１からＰＬＬ／バッファ１３４３に伝達されて、クロック周波数として設定される。ＰＬＬ／バッファ１３４３では、発振回路１３４２から発振された信号が設定されたクロック周波数ごとに出力されることによって、クロック信号が発振される（図４のステップ２１）。【００７２】
以上のように、本実施形態によると、ＷＤＭ装置１００＿１と接続されている端末装置２０１＿１，２０１＿２の搬送周波数が検出され、その搬送周波数に基づいてクロック周波数が自動的に決定される。このため、ＷＤＭ装置１００＿１に接続される端末装置や、ＷＤＭ装置１００＿１が使用される国などが変わった場合であっても、メーカのエンジニアが手動でクロック周波数を設定する手間やコストを省くことができる。【００７３】
また、本実施形態によると、予め記憶されている周波数の中にクロック周波数として好適な周波数が存在しない場合には、ＷＤＭ装置１００＿１と接続されている端末装置から周波数を遠隔操作によって指定することができる。【００７４】
以上で、本発明の第１実施形態の説明を終了し、本発明の第２実施形態について説明する。本発明の第２実施形態は、図１、図２、および図３に示す本発明の第１実施形態と同じ構成を有しているが、クロック周波数を決定する処理の流れが第１実施形態とは異なる。このため、図１、図２、および図３を本発明の第２実施形態の説明でも流用し、本発明の第１実施形態との相違点についてのみ説明する。【００７５】
図５は、本発明の第２実施形態において、クロック周波数が決定されるまでの一連の処理の流れを示すフローチャート図である。【００７６】
本実施形態においても、図４に示す第１実施形態のステップＳ１１と同様に、まず、基本周波数Ｆｓが仮のクロック周波数として設定され、仮のクロック信号に従ってテスト通信が実行される（図５のステップＳ３１）。【００７７】
周波数カウンタ１３２では、テスト通信によって図３の端末装置２０１＿１，２０１＿２から受信された信号の搬送周波数が検出される（図５のステップＳ３２）。【００７８】
周波数決定部１３３では、第１実施形態のステップＳ１３と同様に、記憶部１３４１に記憶されている複数の周波数の中から、検出された搬送周波数Ｆｈの整数倍（１×Ｆｈ、２×Ｆｈ、３×Ｆｈ、…）の周波数、および搬送周波数Ｆｈの整数分の１倍（Ｆｈ／１、Ｆｈ／２、Ｆｈ／３、…）の周波数と所定以上近い周波数が候補周波数に決定される。【００７９】
図４に示す第１実施形態では、決定された候補周波数が１つずつ仮のクロック周波数として指定され、全ての候補周波数に対してテスト通信が行われたが、本実施形態では、決定された候補周波数が所定の優先順位で順次に仮のクロック周波数として指定されてテスト通信が行われ、通信が成功した時点でテスト通信が終了される。本実施形態においては、決定された候補周波数が、周波数が高いものから順に仮のクロック周波数として指定される（図５のステップＳ３３）。【００８０】
まず、最も優先順位が高い候補周波数が仮のクロック周波数として指定され、ＰＬＬ／バッファ１３４３から、指定された候補周波数のクロック信号が出力される。図２に示すＷＤＭ装置１００＿１の各種部品では、発振された仮のクロック信号に従って、端末装置２０１＿１，２０１＿２との間でテスト通信が実行される（図５のステップＳ３４）。【００８１】
周波数制御部１３１では、テスト通信における送受信エラーや、送信されてきた信号の誤りなどが検出される。送受信エラーや信号の誤りが所定回数以下である場合（図５のステップＳ３５：Ｙｅｓ）、この時点で設定されている候補周波数がそのままクロック周波数として決定される。【００８２】
また、送受信エラーや信号の誤りが所定回数より多い場合（図５のステップＳ３５：Ｎｏ）、仮のクロック信号は不適であると判定され、優先順位が２番目に高い候補周波数がクロック周波数として設定されて、テスト通信が実行される（図５のステップＳ３４）。【００８３】
優先順位に従って順次に候補周波数がクロック周波数として設定され、テスト通信が実行される（図５のステップＳ３４）処理が、送受信エラーや信号の誤りが所定回数以下になるまで（図５のステップＳ３５：Ｙｅｓ）、あるいは、送受信エラーや信号の誤りが所定回数よりも多い状態（図５のステップＳ３５：Ｎｏ）が最終候補周波数に達するまで（図５のステップＳ３６：Ｙｅｓ）続けられる。【００８４】
全ての候補周波数において、仮のクロック信号は不適であると判定された場合には（図５のステップＳ３６：Ｙｅｓ）、周波数制御部１３１から端末装置２０１＿１，２０１＿２に向けて、周波数を指定する要求を表わす要求信号が送信され、ユーザによって、端末装置２０１＿１，２０１＿２を使って周波数が指定される（図５のステップＳ３７）。【００８５】
ユーザの遠隔操作によって指定されたクロック周波数は、記憶部１３４１の再利用領域に記憶されるとともに、記憶部１３４１からＰＬＬ／バッファ１３４３に伝達されて、クロック周波数として設定される（図５のステップ３８）。【００８６】
本実施形態によると、優先順位の高い候補周波数から順次にクロック周波数として設定され、通信が成功した時点で設定されている候補周波数がそのままクロック周波数として使用されるため、処理速度を高速化することができる。また、本実施形態においては、候補周波数が、周波数が高いものから順次にクロック周波数として設定されるため、高速な通信速度を実現するクロック周波数を素早く設定することができる。【００８７】
ここで、上記では、本発明の電子装置をＷＤＭ装置に適用する例について説明したが、本発明の電子装置は、ＷＤＭ装置以外の通信中継装置などであってもよい。【００８８】
また、上記では、複数の候補周波数を周波数の高いものから順にクロック周波数として設定する例について説明したが、本発明にいう周波数設定部は、複数の候補周波数を、外部装置から送られてくる信号の搬送周波数に近いものから順にクロック周波数として設定するものであってもよい。
【図１】
2008111229.tif 000003
【図２】
2008111229.tif 000004
【図３】
2008111229.tif 000005
【図４】
2008111229.tif 000006
【図５】
2008111229.tif 000007
【手続補正書】
【提出日】平成21年8月25日(2009.8.25)
【手続補正２】
【補正対象書類名】特許請求の範囲
【補正対象項目名】全文
【補正方法】変更
【補正の内容】
【特許請求の範囲】
【請求項１】
外部装置が接続されて該外部装置に対して信号の入出力を行う電子装置において、
周波数が設定されてその設定された周波数のクロック信号を発するクロック部と、
前記クロック部が発したクロック信号に従って前記信号の入出力を行う入出力部と、
前記外部装置が発している信号の周波数を検知する周波数検知部と、
前記周波数検知部で検知された周波数に基づいて前記クロック信号の周波数を決めて前記クロック部に設定する周波数設定部と、
通信回線を介して周波数が通知される周波数通知部とを備え、
前記周波数設定部が、各所定の複数の周波数のなかから、前記周波数検知部で検知された周波数に対し整数倍あるいは整数分の１となっている対応周波数を探し、その対応周波数を見つけた場合には、その対応周波数を前記クロック信号の周波数に決めて前記クロック部に設定し、その対応周波数が見つからない場合には、前記周波数通知部で通知された周波数を前記クロック部に設定するものであることを特徴とする電子装置。
【請求項２】
前記周波数検知部が、所定の基準周波数が設定されて前記クロック部が発する基準クロック信号を受け、その基準クロック信号に従って動作するものであることを特徴とする請求項１記載の電子装置。
【請求項３】
前記クロック部が、複数の周波数を記憶した記憶部と、該記憶部に記憶された周波数のうちの１つの周波数が指定される指定部と、該指定部で指定された周波数のクロック信号を発する発振部とを備えたものであることを特徴とする請求項１記載の電子装置。
【請求項４】
外部装置が接続されて該外部装置に対して信号の入出力を行う電子装置において、
周波数が設定されてその設定された周波数のクロック信号を発するクロック部と、
前記クロック部が発したクロック信号に従って前記信号の入出力を行う入出力部と、
前記外部装置が発している信号の周波数を検知する周波数検知部と、
前記周波数検知部で検知された周波数に基づいて前記クロック信号の周波数を決めて前記クロック部に設定する周波数設定部とを備え、
前記クロック部が、複数の周波数を記憶した、それら複数の周波数の他に１つ以上の周波数を書き換え自在に記憶する記憶部と、該記憶部に記憶された周波数のうちの１つの周波数が指定される指定部と、該指定部で指定された周波数のクロック信号を発する発振部とを備えたものであり、
通信回線を介して周波数が通知され、その通知された周波数を前記記憶部に記憶させる周波数通知記憶部を備えたことを特徴とする電子装置。
【請求項５】
前記周波数検知部が、所定の基準周波数が設定されて前記クロック部が発する基準クロック信号を受け、その基準クロック信号に従って動作するものであることを特徴とする請求項４記載の電子装置。
【請求項６】
前記周波数設定部が、各所定の複数の周波数のなかから、前記周波数検知部で検知された周波数に対し整数倍あるいは整数分の１となっている対応周波数を見つけ、その対応周波数を前記クロック信号の周波数に決めて前記クロック部に設定するものであることを特徴とする請求項４記載の電子装置。
【請求項７】
前記クロック部が、複数の周波数を記憶した記憶部と、該記憶部に記憶された周波数のうちの１つの周波数が指定される指定部と、該指定部で指定された周波数のクロック信号を発する発振部とを備えたものであることを特徴とする請求項４記載の電子装置。
【請求項８】
外部装置が接続されて該外部装置に対して信号の入出力を行う電子装置に供給されるクロック信号を制御するクロック制御装置において、
前記外部装置が発している信号の周波数を検知する周波数検知部と、
前記周波数検知部で検知された周波数に基づいて前記クロック信号の周波数を決め、その決めた周波数を、設定された周波数のクロック信号を前記電子装置に供給するクロックに設定する周波数設定部とを備え、
前記クロックが、複数の周波数を記憶した、それら複数の周波数の他に１つ以上の周波数を書き換え自在に記憶する記憶部と、該記憶部に記憶された周波数のうちの１つの周波数が指定される指定部と、該指定部で指定された周波数のクロック信号を発する発振部とを備えたものであり、
通信回線を介して周波数が通知され、その通知された周波数を前記記憶部に記憶させる周波数通知記憶部を備えたことを特徴とするクロック制御装置。
【国際調査報告】
2008111229.tif 000008
2008111229.tif 000009
2008111229.tif 000010